(57)【要約】【目的】熟練を要することなく間仕切り壁の施工が可能であり、しかも工期の短縮化及びコストダウンを図ることができ、均質な仕上がり美観を得ることができる耐火間仕切り壁及びその施工法並びに耐火間仕切り壁に用いられるパネル体の型枠を提供する。【構成】耐火間仕切り壁が、複数枚のパネル体を並設して構成され、該パネル体が、上下のランナーと少なくとも２本のスタッドとを有して組み立てられる構造体の一方面側の略全部ないし主要部分に下張り耐火ボード及び上張り耐火ボードが取付けられ、前記構造体の他方面側の上方部分及び下方部分に開放部となる隙間をあけて下張り耐火ボード及び上張り耐火ボードを取付けて成り、前記他方面側の上方部分及び下方部分の開放部である隙間が、下張り耐火ボード及び上張り耐火ボードの後取付けで塞がれる構成であることを特徴とする耐火間仕切り壁である。【選択図】        図１
2006241940.tif 000002
【特許請求の範囲】
【請求項１】
間仕切り壁設置位置のスラブ下面又は梁下面及び床スラブ上面の夫々にランナーが取付けられ、上下のランナー間に所定本数のスタッドが立設され、複数本のスタッドの両側面に下張り耐火ボード及び上張り耐火ボードが取付けられた構成の耐火間仕切り壁であって、
該耐火間仕切り壁が、複数枚のパネル体を並設して構成され、
該パネル体が、上下のランナーと少なくとも２本のスタッドとを有して組み立てられる構造体の一方面側の略全部ないし主要部分に下張り耐火ボード及び上張り耐火ボードが取付けられ、前記構造体の他方面側の上方部分及び下方部分に開放部となる隙間をあけて下張り耐火ボード及び上張り耐火ボードを取付けて成り、
前記他方面側の上方部分及び下方部分の開放部である隙間が、下張り耐火ボード及び上張り耐火ボードの後取付けで塞がれる構成であることを特徴とする耐火間仕切り壁。
【請求項２】
前記パネル体の下張り耐火ボードの目地と上張り耐火ボードの目地とが重合しない位置に設けられていることを特徴とする請求項１に記載の耐火間仕切り壁。
【請求項３】
上下のランナー間に少なくとも２本のスタッドを立設した構造体の一方面側の全部ないし主要部分に下張り耐火ボード及び上張り耐火ボードを取付け、前記構造体の他方面側の上方部分及び下方部分に開放部となる隙間をあけて下張り耐火ボード及び上張り耐火ボードを取付けて成るパネル体を複数枚形成し、
該複数枚のパネル体を、間仕切り壁設置位置に並設し、スラブ下面又は梁下面及び床スラブ上面の夫々に上下のランナーの夫々を取付け、必要に応じて断熱材及び／又は配線・配管をパネル体の内部に施した後、前記他方面側の上方部分及び下方部分の開放部である隙間を、下張り耐火ボード及び上張り耐火ボードの後取付けで塞ぐことを特徴とする耐火間仕切り壁の施工法。
【請求項４】
前記パネル体の下張り耐火ボードの目地と上張り耐火ボードの目地とが重合しない位置に設けられることを特徴とする請求項３に記載の耐火間仕切り壁の施工法。
【請求項５】
前記下張り耐火ボードと上張り耐火ボードとの位置合わせを行った後に、該下張り耐火ボード及び上張り耐火ボードを前記構造体に同時に固定することを特徴とする請求項３又は４に記載の耐火間仕切り壁の施工法。
【請求項６】
所定間隔毎に立設される少なくとも２本のスタッドに下張り耐火ボード及び上張り耐火ボードを取付けて成るパネル体の型枠であって、スタッド位置決め用の凹溝が所定間隔毎に設けられると共に、下張り耐火ボードの端部位置決め部と上張り耐火ボードの端部位置決め部が設けられていることを特徴とする耐火間仕切り壁に用いられるパネル体の型枠。
【請求項７】
前記下張り耐火ボードの端部位置決め部及び上張り耐火ボードの端部位置決め部が位置決め設定位置から退避可能な構成を有し、スタッドの位置決め終了後に下張り耐火ボードの端部位置決め部が位置決め設定位置に復帰し、該下張り耐火ボードの位置決め終了後に、上張り耐火ボードの端部位置決め部が位置決め設定位置に復帰可能な構成を有することを特徴とする請求項６に記載の耐火間仕切り壁に用いられるパネル体の型枠。
【請求項８】
前記請求項６に記載の型枠を用いて少なくとも２本のスタッドの立設と下張り耐火ボード及び上張り耐火ボードの取付けが終わったパネル体の片面が嵌り込む凹部が設けられると共に、反対面に取付けられる下張り耐火ボードの端部位置決め部と上張り耐火ボードの端部位置決め部が設けられていることを特徴とする耐火間仕切り壁に用いられるパネル体の型枠。
【請求項９】
前記請求項７に記載の型枠を用いて少なくとも２本のスタッドの立設と下張り耐火ボード及び上張り耐火ボードの取付けが終わったパネル体の片面が嵌り込む凹部が設けられると共に、反対面に取付けられる下張り耐火ボードの端部位置決め部と上張り耐火ボードの端部位置決め部が設けられており、該下張り耐火ボードの端部位置決め部及び上張り耐火ボードの端部位置決め部が位置決め設定位置から退避可能な構成を有し、スタッドの位置決め終了後に下張り耐火ボードの端部位置決め部が位置決め設定位置に復帰し、該下張り耐火ボードの位置決め終了後に、上張り耐火ボードの端部位置決め部が位置決め設定位置に復帰可能な構成を有することを特徴とする耐火間仕切り壁に用いられるパネル体の型枠。
【発明の詳細な説明】
【技術分野】
【０００１】
本発明は耐火間仕切り壁及びその施工法並びに耐火間仕切り壁に用いられるパネル体の型枠に関する。
【背景技術】
【０００２】
高層住宅、ホテル、病院等の建築物において隣接する部屋との区切りと壁体を現場打ちコンクリート壁体によらずに石膏ボードに代表される耐火ボードを用いた耐火間仕切り壁を取付けることで構築することが一般的となっている。
【０００３】
コスト、耐火性能及び遮音性能に優れた耐火ボードを用いた耐火間仕切り壁の構築方法には、スラブ下面又は梁下面と床スラブ上面との間に下地間柱であるスタッドを立設し、該スタッドに耐火ボードを取付けるスタッド式（例えば、特許文献１参照）と、スラブ下面又は梁下面及び床スラブ上面にランナーを取付け、該上下のランナー間にスタッドを設けることなく耐火ボードを自立させて壁面を構築するノンスタッド式（例えば、特許文献２参照）とがある。
【０００４】
また、ノンスタッド式では、耐火ボードをスペーサーや補強材を介して中空複数枚構造の定形化したパネル体を上下のランナー間に複数枚並設して壁面を構築する方式（例えば、特許文献３及び４参照）もある。
【０００５】
【特許文献１】実開平２−１３７４０９号公報
【特許文献２】特開平８−１６５７２４号公報
【特許文献３】特開２００４−１７６３１６号公報
【特許文献４】特開２００５−２３６７９号公報
【発明の開示】
【発明が解決しようとする課題】
【０００６】
しかし、特許文献１に記載のスタッド式では、スラブ下面又は梁下面と床スラブ上面との間の所定位置毎の複数本のスタッドの建込みや、建込み寸法に対する耐火ボードの寸法合せ等の作業に熟練を要するため、工期の短縮化が困難であるだけでなく、専門職の作業者が必要となるので、コスト高であるという課題を有している。また、配線・配管作業が必要な場合、間仕切り壁の構築途中に行わなければならないため、作業がより煩雑となり易い。
【０００７】
特許文献２に記載のノンスタッド式では、建込み高さ寸法が２ｍ数十ｃｍ〜３ｍ超となる耐火ボードを自立させるための強度を確保しなければならず、用いる補強材の断面性能に耐火ボードの長さが制限されてしまう欠点を有している。また、耐火ボードとして石膏ボードを用いた場合、石膏ボードをノンスタッド式で自立させると湾曲や捩れ等の変形による不陸が生じ易く、仕上げ美観に影響するという欠点を有している。
【０００８】
特許文献３及び４に記載の定形化したパネル体を用いたノンスタッド式では、スラブ下面又は梁下面と床スラブ上面との間は±数ｃｍ程度の誤差があるだけでなく表面も平滑ではないため、定形化したパネル体を用いた場合、建込み寸法が設計寸法より大きい場合には隙間が生じるので該隙間を埋める作業が必要であり、小さい場合にはパネル体の上部及び／又は下部を削る等の作業が必要であり、パネル体の現場での微調整が煩雑で作業性が低下するという欠点を有している。また、現場での微調整作業は、作業者の技量によって仕上げの個人差が出易く、仕上がり美観の均質化が図り難いという欠点を有している。
【０００９】
そこで本発明の課題は、熟練を要することなく間仕切り壁の施工が可能であり、しかも工期の短縮化及びコストダウンを図ることができ、均質な仕上がり美観を得ることができる耐火間仕切り壁及びその施工法並びに耐火間仕切り壁に用いられるパネル体の型枠を提供することにある。
【課題を解決するための手段】
【００１０】
上記課題を解決する本発明は下記構成を有する。
【００１１】
１．間仕切り壁設置位置のスラブ下面又は梁下面及び床スラブ上面の夫々にランナーが取付けられ、上下のランナー間に所定本数のスタッドが立設され、複数本のスタッドの両側面に下張り耐火ボード及び上張り耐火ボードが取付けられた構成の耐火間仕切り壁であって、
該耐火間仕切り壁が、複数枚のパネル体を並設して構成され、
該パネル体が、上下のランナーと少なくとも２本のスタッドとを有して組み立てられる構造体の一方面側の略全部ないし主要部分に下張り耐火ボード及び上張り耐火ボードが取付けられ、前記構造体の他方面側の上方部分及び下方部分に開放部となる隙間をあけて下張り耐火ボード及び上張り耐火ボードを取付けて成り、
前記他方面側の上方部分及び下方部分の開放部である隙間が、下張り耐火ボード及び上張り耐火ボードの後取付けで塞がれる構成であることを特徴とする耐火間仕切り壁。
【００１２】
２．前記パネル体の下張り耐火ボードの目地と上張り耐火ボードの目地とが重合しない位置に設けられていることを特徴とする上記１に記載の耐火間仕切り壁。
【００１３】
３．上下のランナー間に少なくとも２本のスタッドを立設した構造体の一方面側の全部ないし主要部分に下張り耐火ボード及び上張り耐火ボードを取付け、前記構造体の他方面側の上方部分及び下方部分に開放部となる隙間をあけて下張り耐火ボード及び上張り耐火ボードを取付けて成るパネル体を複数枚形成し、
該複数枚のパネル体を、間仕切り壁設置位置に並設し、スラブ下面又は梁下面及び床スラブ上面の夫々に上下のランナーの夫々を取付け、必要に応じて断熱材及び／又は配線・配管をパネル体の内部に施した後、前記他方面側の上方部分及び下方部分の開放部である隙間を、下張り耐火ボード及び上張り耐火ボードの後取付けで塞ぐことを特徴とする耐火間仕切り壁の施工法。
【００１４】
４．前記パネル体の下張り耐火ボードの目地と上張り耐火ボードの目地とが重合しない位置に設けられることを特徴とする上記３に記載の耐火間仕切り壁の施工法。
【００１５】
５．前記下張り耐火ボードと上張り耐火ボードとの位置合わせを行った後に、該下張り耐火ボード及び上張り耐火ボードを前記構造体に同時に固定することを特徴とする上記３又は４に記載の耐火間仕切り壁の施工法。
【００１６】
６．所定間隔毎に立設される少なくとも２本のスタッドに下張り耐火ボード及び上張り耐火ボードを取付けて成るパネル体の型枠であって、スタッド位置決め用の凹溝が所定間隔毎に設けられると共に、下張り耐火ボードの端部位置決め部と上張り耐火ボードの端部位置決め部が設けられていることを特徴とする耐火間仕切り壁に用いられるパネル体の型枠。
【００１７】
７．前記下張り耐火ボードの端部位置決め部及び上張り耐火ボードの端部位置決め部が位置決め設定位置から退避可能な構成を有し、スタッドの位置決め終了後に下張り耐火ボードの端部位置決め部が位置決め設定位置に復帰し、該下張り耐火ボードの位置決め終了後に、上張り耐火ボードの端部位置決め部が位置決め設定位置に復帰可能な構成を有することを特徴とする上記６に記載の耐火間仕切り壁に用いられるパネル体の型枠。
【００１８】
８．上記６に記載の型枠を用いて少なくとも２本のスタッドの立設と下張り耐火ボード及び上張り耐火ボードの取付けが終わったパネル体の片面が嵌り込む凹部が設けられると共に、反対面に取付けられる下張り耐火ボードの端部位置決め部と上張り耐火ボードの端部位置決め部が設けられていることを特徴とする耐火間仕切り壁に用いられるパネル体の型枠。
【００１９】
９．上記７に記載の型枠を用いて少なくとも２本のスタッドの立設と下張り耐火ボード及び上張り耐火ボードの取付けが終わったパネル体の片面が嵌り込む凹部が設けられると共に、反対面に取付けられる下張り耐火ボードの端部位置決め部と上張り耐火ボードの端部位置決め部が設けられており、該下張り耐火ボードの端部位置決め部及び上張り耐火ボードの端部位置決め部が位置決め設定位置から退避可能な構成を有し、スタッドの位置決め終了後に下張り耐火ボードの端部位置決め部が位置決め設定位置に復帰し、該下張り耐火ボードの位置決め終了後に、上張り耐火ボードの端部位置決め部が位置決め設定位置に復帰可能な構成を有することを特徴とする耐火間仕切り壁に用いられるパネル体の型枠。
【発明の効果】
【００２０】
請求項１又は３に示す発明によれば、パネル体の構造体の他方面側の上方部分及び下方部分に開放部となる隙間をあけて下張り耐火ボード及び上張り耐火ボードを取付けられた構成を有することにより、耐火間仕切り壁を構成するパネル体を、該パネル体の上下のランナーをスラブ下面又は梁下面及び床スラブ上面の夫々に取付ける際に、前記開放部から釘打ち機によってランナーを釘打ちすることが可能である。また、開放部は、配線・配管作業や、断熱材の充填の際にも利用することができる。
【００２１】
開放部である隙間は、パネル体を取付けた後に、後工程として下張り耐火ボード及び上張り耐火ボードを後取付けして塞ぐことができる。従って、パネル体の取付けによる間仕切壁の構築、配線・配管作業、断熱材の充填等の各作業を進めながら乃至は各作業終了後に、開放部である隙間を塞げばよいので、効率的な施工作業が可能となる。
【００２２】
特に請求項１又は３に示す発明によれば、間仕切り壁を構成するパネル体は、パネル体の一方面側に取付けられている下張り耐火ボード及び上張り耐火ボードが略全部ないし主要部分であり、他方面側に取付けられている下張り耐火ボード及び上張り耐火ボードが上方部分及び下方部分に開放部となる隙間をあけて取付けられているので、その大部分が既に下張り耐火ボード及び上張り耐火ボードの取付けられた定形化したパネル体として形成されているため、均質な仕上がり美観を得ることができる定形化したパネル体であっても、熟練を要する現場での微調整作業が不要であり、隙間部分は現場での従来工法による下張り耐火ボード及び上張り耐火ボードの取付けで済むので簡易な作業が可能である。
【００２３】
従って、請求項１又は３に示す発明によれば、熟練を要することなく間仕切り壁の施工が可能であり、しかも工期の短縮化及びコストダウンを図ることができ、均質な仕上がり美観を得ることができる。
【００２４】
請求項２又は４に示す発明によれば、パネル体の下張り耐火ボードの目地と上張り耐火ボードの目地とが重合しない位置に設けられていることにより、耐火性（火、煙廻りの伝達防止性）及び遮音性（音の伝達防止性）が良好となると共に、並設するパネル体の隣接する下張り耐火ボード同士を上張り耐火ボードによって一体化することができるので強度補強が可能となる。
【００２５】
請求項５に示す発明によれば、下張り耐火ボードと上張り耐火ボードとを前記構造体に１枚ずつ取付けるのではなく、下張り耐火ボードと上張り耐火ボードとの位置合わせを行った後に前記構造体に同時に固定することにより、作業の効率化を図ることができる。
【００２６】
請求項６〜９に示す発明によれば、所定間隔毎に立設される少なくとも２本のスタッドに下張り耐火ボード及び上張り耐火ボードを取付けて成るパネル体の型枠により、均質な定形化したパネル体を容易に得ることができる。特に、下張り耐火ボード及び上張り耐火ボードのスタッドへの取付けは、下張り耐火ボードと上張り耐火ボードとを前記構造体に１枚ずつ取付けるのではなく、下張り耐火ボード及び上張り耐火ボードを位置合わせたした後に前記構造体に同時に取付けることにより、作業の効率化を図ることができる。
【発明を実施するための最良の形態】
【００２７】
以下、本発明の詳細について添付図面に基づき説明する。
【００２８】
図１は本発明に係る耐火間仕切り壁（多方面側）の一実施例の施工途中を示す斜視図、図２は図１の耐火間仕切り壁を構成するパネル体（端部パネル）の一例を示す４面図｛（ａ）平面図、（ｂ）他方面側図、（ｃ）一方面側図、（ｄ）側面図｝、図３は図１の耐火間仕切り壁を構成するパネル体（基本パネル）の一例を示す４面図｛（ａ）平面図、（ｂ）他方面側図、（ｃ）一方面側図、（ｄ）側面図｝、図４は図２に示すパネル体（端部パネル）と図３に示すパネル体（基本パネル）との接合状態を示す説明平面図、図５は図２のパネル体（端部パネル）の他の例を示す４面図｛（ａ）平面図、（ｂ）他方面側図、（ｃ）一方面側図、（ｄ）側面図｝、図６はパネル体（端部パネル）の型枠の一実施例を示す平面図、図７は図６の型枠を用いてパネル体（端部パネル）を製造する工程を示す説明平面図、図８はパネル体（基本パネル）の型枠の一実施例を示す平面図、図９は図８の型枠を用いてパネル体（基本パネル）を製造する工程を示す説明平面図である。
【００２９】
図１において、１は耐火間仕切り壁、２は間仕切り壁設置位置のスラブ下面又は梁下面、３は床スラブ上面、４は間仕切り壁１が接する一方の壁面（他方の壁面は省略）を示す。
【００３０】
耐火間仕切り壁１は、複数枚（図１では２枚のみ図示）のパネル体１０・・・・を並設して構成される。
【００３１】
パネル体１０は、図２及び図３に示すように、上下のランナー１１・１２と少なくとも２本のスタッド１３・１３・・・とを有して組み立てられる構造体の一方面側の略全部に下張り耐火ボード１４及び上張り耐火ボード１５が取付けられ、前記構造体の他方面側の上方部分及び下方部分に開放部となる隙間１６をあけて下張り耐火ボード１４及び上張り耐火ボード１５を取付けて成り、前記他方面側の上方部分及び下方部分の開放部である隙間１６が、下張り耐火ボード１４及び上張り耐火ボード１５の後取付けで塞がれる構成を有している。
【００３２】
パネル体１０は、一方の壁面４に接して間仕切り壁１の一方の端部を構成するパネル体（端部パネル）１０Ａ（図２参照）と、間仕切り壁１の一方の端部以外を構成するパネル体（基本パネル）１０Ｂ（図３参照）とを有して成る。
【００３３】
本発明に用いられるランナー１１・１２及びスタッド１３は、この種の耐火間仕切り壁に用いられる公知公用のランナー（例えば、断面コ字状の溶融亜鉛メッキ銅板帯体や銅板帯体等）及びスタッド（例えば、断面ロ字状の溶融亜鉛メッキ銅板柱体や銅板柱体等）を用いることができる。
【００３４】
本発明に用いられる下張り耐火ボード１４としては、この種の耐火間仕切り壁の下張り耐火ボードとして用いられる公知公用の耐火ボード（例えば、石膏ボード等）を用いることができる。
【００３５】
本発明に用いられる上張り耐火ボード１５としては、この種の耐火間仕切り壁の上張り耐火ボードとして用いられる公知公用の耐火ボード（例えば、強化石膏ボード等）を用いることができる。
【００３６】
ランナー１１・１２及びスタッド１３とを有してなる構造体への下張り耐火ボード１４及び上張り耐火ボードの取付けは、下張り耐火ボード１４と上張り耐火ボード１５の位置合せを行った後に、同時にビス打ちによってスタッド１３に固定することが好ましい。同時ビス打ちすることによって、従来までの下張り耐火ボードを先ずビス打ち固定した後に上張り耐火ボードを下張り耐火ボードにタッカーにより取り付けていた方法に比して作業効率が高く好ましい。
【００３７】
尚、ランナー１１・１２は、スタッド１３への下張り耐火ボード１４及び上張り耐火ボード１５への取付けが終了した後にスタッド１３に取付けられてもよいし、或いは上下の一方（例えば上のランナー１１）のみをスタッド１３に取付けて構造体と成した後に下張り耐火ボード１４及び上張り耐火ボード１５を取付け、その後に上下の他方（例えば、下のランナー１２）をスタッド１３に取付けてもよい。組立て手順は設置する施工場所に応じて適宜変更してもよいが、上のランナー１１以外を予め組立てておき、施工現場において、設置位置の躯体の寸法高を測定確認した後に、スタッド１３の長さを調整し、その後に上のランナー１１を取付けることが設置位置の誤差に最も対応できるので好ましい。
【００３８】
パネル体１０の内、先ず、パネル体（端部パネル）１０Ａについて説明する。
パネル体（端部パネル）１０Ａは前述したように耐火間仕切り壁１の一方の端部を構成するので、図２（ａ）に示すように壁面４に接する側の端部｛図２（ａ）において図面上、右側｝で、スタッド１３・ランナー１１・１２｛図２（ａ）の平面図では図示を省略｝・下張り耐火ボード１４・上張り耐火ボード１５の全ての端部が面一となるように揃えてある。
【００３９】
図２（ｃ）に示すように、パネル体（端部パネル）１０Ａの一方面側の略全部には下張り耐火ボード１４及び上張り耐火ボード１５がビス打ち等の手段によって取付けられている。全部ではなく略全部（具体的に好ましくはスタッド１３の半分まで）としたのは、壁面４とは接しない側｛図２（ｃ）において図面上、右側）、即ち、パネル体（基本パネル）１０Ｂが並設される側の端部の目地がスタッド１３と下張り耐火ボード１４とで一致してしまうのを防ぐためである。また、上張り耐火ボード１５の同じく壁面４とは接しない側は、スタッド１３と下張り耐火ボード１４の両方の目地と一致しないように更にズラして取付けられる。スラブ下面又は梁下面２に接する上端部と、床スラブ上面３に接する下端部の夫々についてもスタッド１３・ランナー１１・１２｛（ａ）の平面図では図示を省略｝・一方面側の下張り耐火ボード１４・一方面側の上張り耐火ボード１５の全ての端部が面一となるように揃えてある。
【００４０】
次に図２（ｂ）に示すように、パネル体（端部パネル）１０Ａの他方面側については、上方部分及び下方部分に開放部となる隙間１６をあけて下張り耐火ボード１４及び上張り耐火ボード１５がビス打ち等の手段によって取付けられている。
【００４１】
開放部となる隙間１６を設けることにより、パネル体（端部パネル）１０Ａをスラブ下面又は梁下面２及び床スラブ上面３に取付ける際に、上下のランナー１１・１２の夫々が開放部となる隙間１６から露出しているので、該ランナー１１・１２を釘打ちすることが可能となるのである。
【００４２】
他方面側の壁面４とは接しない側｛図２（ｂ）において図面上、左側）、即ち、パネル体（基本パネル）１０Ｂが並設される側の端部については、上述した一方面側と同様に、目地がスタッド１３と下張り耐火ボード１４とで一致してしまうのを防ぐためにスタッド１３の半分が隠れる部分まで取付けられている。また、上張り耐火ボード１５は、壁面４とは接しない側は上述の一方面側と同様にスタッド１３と下張り耐火ボード１４の両方の目地と一致しないように更にズラして取付けられている。
【００４３】
他方面側の下張り耐火ボード１４及び上張り耐火ボード１５の上端部と下端部については、開放部となる隙間１６を設けたことによって、該開放部となる隙間１６を後工程である後取付けによって塞ぐことで目地が発生する。従って、この上端部と下端部についても上張り耐火ボード１５は下張り耐火ボード１４と目地が一致しないようにズラして取付けられる。
【００４４】
下張り耐火ボード１４及び上張り耐火ボード１５の上端部と下端部の位置について、一方面側では上端及び下端まで隙間なく取付けられており、他方面側では上方と下方に開放部となる隙間１６が設けられて取り付けられている構成については、図２（ｄ）に明瞭に表れている。
【００４５】
本実施例のパネル体（端部パネル）１０Ａでは、スタッド１３は壁面４に接する側用と中間用とパネル体（基本パネル）１０Ｂとの接合端部の目地部分を受け持つ部分用の３本設けられている。スタッド１３・１３・１３の隙間には要求される防火基準等の諸条例を満たすように必要に応じて断熱材が充填される。用いられる断熱材としては、この種の耐火間仕切り壁に用いられる公知公用の断熱材（例えば、グラスウール等）を用いることができる。断熱材の充填は、パネル体１０の製造中に充填してもよいし、前記した開放部となる隙間１６から後充填してもよい。開放部となる隙間１６は、断熱材の充填の他、配線・配管が必要な場合にも利用することができる。
【００４６】
次に、図３に基づきパネル体（基本パネル）１０Ｂについて説明する。
パネル体（基本パネル）１０Ｂは前述したように耐火間仕切り壁１の一方の端部以外を構成するものであり、上述したパネル体（端部パネル）１０Ａに複数枚を並設して連続接続していく｛図４（ａ）及び図４（ｂ）参照｝ことで、耐火間仕切り壁１を並設した長さ分だけ構築することができる。即ち、一つの耐火間仕切り壁１に対して、パネル体（端部パネル）１０Ａは１枚用いられるのに対し、パネル体（基本パネル）１０Ｂは、耐火間仕切り壁１の長さ（幅）に応じて同一構成のものが複数枚用いられることになる。
【００４７】
構築される耐火間仕切り壁１の長さ（幅）に応じて同一構成の複数枚を連続的に並設して接続できるように、パネル体（基本パネル）１０Ｂの左右の端部は、接合した際に互いに合致する凹凸の形状となるようにスタッド１３・下張り耐火ボード１４・上張り耐火ボード１５が夫々ズラして取付けられて構成される。しかも、凹となる端部は、パネル体（端部パネル）１０Ａの接続端部の凸と合致する構成を有することから、パネル体（基本パネル）１０Ｂの凸となる端部は、パネル体（端部パネル）１０Ａの凸となる端部と同じ構成となる。
【００４８】
スタッド１３・下張り耐火ボード１４・上張り耐火ボード１５の具体的な取付け位置について説明すると、パネル体（端部パネル）１０Ａの接続端部が上述したように、スタッド１３の半分まで下張り耐火ボード１４が取付けられ、該下張り耐火ボード１４からズラした上張り耐火ボード１５が取付られているので、このズレた分と一致するように、パネル体（基本パネル）１０Ｂの凹となる接続端部の上張り耐火ボード１５は下張り耐火ボード１５から接続方向に突出するようにズレて取付けられる。
【００４９】
パネル体（基本パネル）１０Ｂの凹となる接続端部以外の他の構成については、上述したパネル体（端部パネル）１０Ａと同様の構成を有する。従って、下張り耐火ボード１４及び上張り耐火ボード１５の上端部と下端部についても、一方面側は図３（ｃ）及び図３（ｄ）に示すように上端及び下端まで隙間なく取付けられており、他方面側は図３（ｂ）及び図３（ｄ）に示すように上方と下方に開放部となる隙間１６が設けられて取り付けられた構成を有している。
【００５０】
以上、本発明に係る耐火間仕切り壁１について説明したが、耐火間仕切り壁１を構成するパネル体（端部パネル）１０Ａ及びパネル体（基本パネル）１０Ｂは、１種類ないし数種類の規格化した寸法のものを工場等で予め製造し、適用する建築物に応じて選択し用いるようにすることができる。特に、高層住宅、ホテル、病院等の各建築物は天井高さ等が一律化しているものが多いため、規格化は低コスト化、作業効率化等の点で極めて有効である。規格外の場合には、現場での修正や現場での製造することで対応してもよいし、数量が多い時等は工場等で予め製造することによって対応してもよい。
【００５１】
パネル体（端部パネル）１０Ａ及びパネル体（基本パネル）１０Ｂを規格化することにより、用いるスタッド１３・下張り耐火ボード１４・上張り耐火ボード１５についても規格に適応するものを予め発注・製造することが可能となるので、より低コスト化等が可能となる。また、規格化によって当該規格に適用する寸法の下張り耐火ボード１４と上張り耐火ボード１５を工場等で予め位置合せした状態で重合し貼り合せたものを発注・製造することが可能となるので、製造効率を上げることができる。
【００５２】
次に、上記構成を有するパネル体（端部パネル）１０Ａとパネル体（基本パネル）１０Ｂを用いて耐火間仕切り壁１を構築する施工法の一実施例について以下説明する。
【００５３】
設置位置の壁面４に接する部分に先ずパネル体（端部パネル）１０Ａを配設し、レーザーや事前墨出しを基準にして位置確認を行った後、該パネル体（端部パネル）１０Ａの上下のランナー１１・１２を開放部となる隙間１６から釘打ち機を用いてスラブ下面又は梁下面２及び床スラブ上面３の夫々に固定する。
【００５４】
次に、図４（ａ）に示すように、固定したパネル体（端部パネル）１０Ａの隣にパネル体（基本パネル）１０Ｂを配設し、レーザーや事前墨出しを基準にして位置確認を行った後、該パネル体（基本パネル）１０Ｂの上下のランナー１１・１２を開放部となる隙間１６から釘打ち機を用いてスラブ下面又は梁下面２及び床スラブ上面３の夫々に固定する。更に、パネル体（端部パネル）１０Ａとパネル体（基本パネル）１０Ｂとの接続部分に位置するパネル体（基本パネル）１０Ｂの下張り耐火ボード１４及び上張り耐火ボード１５をパネル体（端部パネル）１０Ａのスタッド１３及び下張り耐火ボード１４にビス又はタッカー等の固定手段によって固定する｛図４（ｂ）参照｝。
【００５５】
次に、固定したパネル体（基本パネル）１０Ｂの隣に図４（ａ）及び図４（ｂ）に示すように、次々と設計枚数分のパネル体（基本パネル）１０Ｂを壁面４に対向する壁面や柱等に接する側に接するまで並設設置し固定していくことで耐火間仕切り壁１を構築することができる。
【００５６】
耐火間仕切り壁１の構築後、又は構築中において、必要に応じて断熱材の充填や配線・配管作業を行い、その後、耐火間仕切り壁１の他方側の上方及び下方に横方向に存在する開放部となる隙間１６を塞ぐ作業を行う。塞ぐ作業は、開放部となる隙間１６の寸法に合わせた下張り耐火ボード１４及び上張り耐火ボード１５を当該箇所にビス又はタッカー等の固定手段によって取付けることによって行われる。
【００５７】
また、最後に設置固定されたパネル体（基本パネル）１０Ｂについては、壁面４に対向する壁面や柱等に接する側の端部部分のスタッド１４の半分及び下張り耐火ボード１４の一部が露出したままの状態となっているので、この部分の寸法に合わせた下張り耐火ボード１４及び上張り耐火ボード１５を当該箇所にビス又はタッカー等の固定手段によって取付ける。この作業によって、構築された耐火間仕切り壁１の表面全面が下張り耐火ボード１４と上張り耐火ボード１５によって二重に耐火被覆されることになる。
【００５８】
耐火間仕切り壁１の表面全面の下張り耐火ボード１４及び上張り耐火ボード１５の取付けが終わった後、耐火間仕切り壁１の表面仕上げのための下地処理や仕上げ処理が施されることになる。
【００５９】
以上、本発明に係る耐火間仕切り壁１及びその施工法の一実施例について説明したが、本発明は上記に限定されず、他の種々の態様を採ることもできる。
【００６０】
例えば、天井高が一般的な寸法より高い場所に適用する場合には、例えば、図５のパネル体（端部パネル）１０Ａ’に示すように、スタッド１３’を当該適用場所の天井高さ寸法に合せた長さとし、下張り耐火ボード１４及び上張り耐火ボード１５については一般的な高さ寸法のものを取付けた構成とすることが好ましい。石膏ボード等の如き耐火ボードは比較的重量物であるため、高天井に合せた高さ寸法の下張り耐火ボード１４及び上張り耐火ボード１５を取付けると重量が嵩んで施工場所への搬入・運搬や設置が困難となるので、一般的な高さ寸法のものを取付ける構成とすることで、これらの困難を防ぐことができる。尚、この構成とした場合、一方面側の下張り耐火ボード１４及び上張り耐火ボード１５の上端部分は目地が一致しないようにズレるように取付けることものとする。この構成によって、一方面側と多方面側の両側で上方部分に大きな開放部となる隙間１６’が生じるが、該開放部となる隙間１６’についても前述した実施例と同様に、後取付け工程で当該開放部となる隙間１６’の寸法に対応する下張り耐火ボード１４及び上張り耐火ボード１５を取付けて塞ぐ作業を行えばよい。
【００６１】
次に、耐火間仕切り壁に用いられるパネル体の型枠について以下説明する。
上記したパネル体（端部パネル）１０Ａ及びパネル体（基本パネル）１０Ｂの製造は、設計寸法に合せて位置合せを行いながら組み立てるものであるが、寸法を規格化することで型枠を用いた製造が可能となる。
【００６２】
先ず、パネル体（端部パネル）１０Ａ用の型枠は、スタッド１３の位置を決めると共に片面の下張り耐火ボード１４及び上張り耐火ボード１５の取付けを行うための型枠（その１）１７Ａ（図６参照）と、残りの反対面の下張り耐火ボード１４及び上張り耐火ボード１５の取付けを行うための型枠（その２）１８Ａ（図７参照）との２つを有して構成される。
【００６３】
型枠（その１）１７Ａは、図６に示すように、所定間隔毎に立設される３本のスタッド１３・１３・１３の位置を決めるスタッド位置決め用凹溝１９・１９・１９が所定間隔毎に設けられており、該型枠（その１）１７Ａの端部には、下張り耐火ボード１４及び上張り耐火ボード１５の端部位置決め部（その１）２０が設けられている。
【００６４】
先ず、型枠（その１）１７Ａを用いて、型枠（その１）１７Ａのスタッド位置決め用凹溝１９・１９・１９の各々にスタッド１３・１３・１３を嵌め込み、次に、下張り耐火ボード１４を端部位置決め部（その１）２０に端部を突設させて載せ、次に、上張り耐火ボード１５を端部位置決め部（その１）２０に端部を突設させて載せ、次にビス打ち機等によってビス打ち固定することで、片面（一方面側又は多方面側のいずれか）の取付けが終了する。
【００６５】
次に、図７に示す型枠（その２）１８Ａを用いて、反対側の片面（他方面側又は一方面側のいずれか）の取付けを行う。
【００６６】
型枠（その２）１８Ａは、図７に示すように、型枠（その１）１７Ａで下張り耐火ボード１４及び上張り耐火ボード１５の取付けの終わった面が入り込むと共に上張り耐火ボード１５の段差に対応する段差部２１Ａ及び下張り耐火ボード１４の段差に対応する段差部２１Ｂを有する凹部２１が設けられており、該凹部２１の一方の端部には前記端部位置決め部（その１）２０と同様に下張り耐火ボード１４及び上張り耐火ボード１５の端部位置を決める端部位置決め部（その２）２２が設けられている。
【００６７】
型枠（その１）１７Ａで下張り耐火ボード１４及び上張り耐火ボード１５の取付けの終わった面である前記片面を、凹部２１に嵌め込み、次に、下張り耐火ボード１４を端部位置決め部（その２）２２に端部を突設させて載せ、次に、上張り耐火ボード１５を端部位置決め部（その２）２２に端部を突設させて載せ、次にビス打ち機等によってビス打ち固定することで、反対面の取付けも終了する。
【００６８】
反対面の取付けの際、下張り耐火ボード１４を載せる前に、必要であれば、充填材５の充填を行うこともできる。
【００６９】
以上のように、先ず、型枠（その１）１７Ａを用い、次に、型枠（その２）１８Ａを用いることで、スタッド１３・１３・１３の各間隔等の各寸法をその度に測ることなく正確にパネル体（端部パネル）１０Ａを極めて容易に製造することができる。尚、本実施例では、３本のスタッド１３・１３・１３を立設する構成を示しているが、本発明はこれに限定されず、他の本数のスタッド１３に対応するように変更してもよいし、スタッド１３以外の他の構成についても、パネル体（端部パネル）１０Ａの規格化される仕様に応じて適宜変更した型枠（その１）１７Ａ及び型枠（その２）１８Ａを用意することができる。
【００７０】
次に、パネル体（基本パネル）１０Ｂ用の型枠は、スタッド１３の位置を決めると共に片面の下張り耐火ボード１４及び上張り耐火ボード１５の取付けを行うための型枠（その１）１７Ｂ（図８参照）と、残りの反対面の下張り耐火ボード１４及び上張り耐火ボード１５の取付けを行うための型枠（その２）１８Ｂ（図９参照）との２つを有して構成される。
【００７１】
型枠（その１）１７Ｂは、図８に示すように、所定間隔毎に立設される２本のスタッド１３・１３の位置を決めるスタッド位置決め用凹溝１９・１９が所定間隔毎に設けられており、該型枠（その１）１７Ａの端部には、下張り耐火ボード１４の端部位置決め部（その１）２３と上張り耐火ボード１５の端部位置決め部（その１）２４が位置決め設定位置から退避可能な構成を有して夫々設けられている。
【００７２】
下張り耐火ボード１４用の端部位置決め部（その１）２３は、スタッド１３・１３の位置決め終了後に下張り耐火ボード１４の位置決め設定位置に復帰し、上張り耐火ボード１５用の端部位置決め部（その１）２４は、下張り耐火ボード１４の位置決め終了後に、上張り耐火ボード１５の位置決め設定位置に復帰する構成を有している。退避及び復帰する構成としては、退避可能であると共に正しい位置に復帰できる構成であればよく、例えば、型枠（その１）１７Ａの端部を支点とする回動式でもよいし、スライド式でもよいし、着脱式でもよい。好ましくは、図示の回動式である。
【００７３】
以下、パネル体（基本パネル）１０Ｂの製造について説明する。図８に示すように、型枠（その１）１７Ｂを用いて片面の取付けを行う。先ず、スタッド１３・１３の位置決めの前に、端部位置決め部（その１）２３及び端部位置決め部（その１）２４の両方を夫々の位置決め設定位置から退避させた状態とする。次に、スタッド位置決め用凹溝１９・１９の各々にスタッド１３・１３を嵌め込み位置決めする。スタッド１３・１３の位置決め終了後、退避させていた下張り耐火ボード１４用の端部位置決め部（その１）２３を位置決め設定位置に復帰させ、下張り耐火ボード１４を端部位置決め部（その１）２３に端部を突設させて載せる。下張り耐火ボード１４の位置決め終了後、退避させていた上張り耐火ボード１５用の端部位置決め部（その１）２４を位置決め設定位置に復帰させ、上張り耐火ボード１５を端部位置決め部（その１）２４に端部を突設させて載せる。次にビス打ち機等によって下張り耐火ボード１４と上張り耐火ボード１５とを同時にスタッド１３・１３にビス打ち固定することで、片面（一方面側又は多方面側のいずれか）の取付けが終了する。
【００７４】
次に、図９に示す型枠（その２）１８Ｂを用いて、反対側の片面（他方面側又は一方面側のいずれか）の取付けを行う。
【００７５】
型枠（その２）１８Ｂは、図９に示すように、型枠（その１）１７Ｂで下張り耐火ボード１４及び上張り耐火ボード１５の取付けの終わった面が入り込むと共に上張り耐火ボード１５の段差に対応する段差部２５Ａと下張り耐火ボード１４の段差に対応する段差部２５Ｂを有する凹部２５が設けられており、該凹部２５の一方の端部には、下張り耐火ボード１４の端部位置決め部（その２）２６と上張り耐火ボード１５の端部位置決め部（その２）２７が位置決め設定位置から退避可能な構成を有して夫々設けられている。
【００７６】
下張り耐火ボード１４用の端部位置決め部（その２）２６は、片面の取付けの終わった状態のものを凹部２５に嵌め込んだ後に下張り耐火ボード１４の位置決め設定位置に復帰し、上張り耐火ボード１５用の端部位置決め部（その２）２７は、下張り耐火ボード１４の位置決め終了後に、上張り耐火ボード１５の位置決め設定位置に復帰する構成を有している。退避及び復帰する構成としては、退避可能であると共に正しい位置に復帰できる構成であればよく、例えば、型枠（その１）１７Ａの端部を支点とする回動式でもよいし、スライド式でもよいし、着脱式でもよい。好ましくは、図示の回動式である。
【００７７】
反対面の取付けは、図９に示すように、型枠（その２）１８Ｂを用いて片面の取付けを行う。先ず、端部位置決め部（その２）２６及び端部位置決め部（その２）２７の両方を夫々の位置決め設定位置から退避させた状態とする。次に、型枠（その１）１７Ｂで下張り耐火ボード１４及び上張り耐火ボード１５の取付けの終わった面である前記片面を、凹部２５に嵌め込む。嵌め込み後、退避させていた下張り耐火ボード１４用の端部位置決め部（その２）２６を位置決め設定位置に復帰させ、下張り耐火ボード１４を端部位置決め部（その２）２６に端部を突設させて載せる。下張り耐火ボード１４の位置決め終了後、退避させていた上張り耐火ボード１５用の端部位置決め部（その２）２７を位置決め設定位置に復帰させ、上張り耐火ボード１５を端部位置決め部（その２）２７に端部を突設させて載せる。次にビス打ち機等によって下張り耐火ボード１４と上張り耐火ボード１５とを同時にスタッド１３・１３にビス打ち固定することで、反対面の取付けも終了する。
【００７８】
反対面の取付けの際、下張り耐火ボード１４を載せる前に、必要であれば、充填材５の充填を行うこともできる。
【００７９】
以上のように、先ず、型枠（その１）１７Ｂを用い、次に、型枠（その２）１８Ｂを用いることで、スタッド１３・１３の各間隔等の各寸法をその度に測ることなく正確にパネル体（基本パネル）１０Ｂを極めて容易に製造することができる。尚、本実施例では、３本のスタッド１３・１３を立設する構成を示しているが、本発明はこれに限定されず、他の本数のスタッド１３に対応するように変更してもよいし、スタッド１３以外の他の構成についても、パネル体（基本パネル）１０Ｂの規格化される仕様に応じて適宜変更した型枠（その１）１７Ｂ及び型枠（その２）１８Ｂを用意することができる。
【００８０】
以上のように、本発明に係る耐火間仕切り壁に用いられるパネル体の型枠を用いることにより、寸法間違い等のミスを抑制することができ、しかも製造作業は熟練不要となるので、低コスト化及び量産化が可能となる。
【００８１】
尚、耐火ボードを更に１以上積層しても構わない。
【図面の簡単な説明】
【００８２】
【図１】本発明に係る耐火間仕切り壁（多方面側）の一実施例の施工途中を示す斜視図
【図２】図１の耐火間仕切り壁を構成するパネル体（端部パネル）の一例を示す４面図｛（ａ）平面図、（ｂ）他方面側図、（ｃ）一方面側図、（ｄ）側面図｝
【図３】図１の耐火間仕切り壁を構成するパネル体（基本パネル）の一例を示す４面図｛（ａ）平面図、（ｂ）他方面側図、（ｃ）一方面側図、（ｄ）側面図｝
【図４】図２に示すパネル体（端部パネル）と図３に示すパネル体（基本パネル）との接合状態を示す説明平面図
【図５】図２のパネル体（端部パネル）の他の例を示す４面図｛（ａ）平面図、（ｂ）他方面側図、（ｃ）一方面側図、（ｄ）側面図｝
【図６】パネル体（端部パネル）の型枠の一実施例を示す平面図
【図７】図６の型枠を用いてパネル体（端部パネル）を製造する工程を示す説明平面図
【図８】パネル体（基本パネル）の型枠の一実施例を示す平面図
【図９】図８の型枠を用いてパネル体（基本パネル）を製造する工程を示す説明平面図
【符号の説明】
【００８３】
１  耐火間仕切り壁
２  スラブ下面又は梁下面
３  床スラブ上面
４  間仕切り壁１が接する一方の壁面
５  充填材
１０  パネル体
１０Ａ  パネル体（端部パネル）
１０Ａ’  パネル体（端部パネル）
１０Ｂ  パネル体（基本パネル）
１１  ランナー（上）
１２  ランナー（下）
１３  スタッド
１３’  スタッド
１４  下張り耐火ボード
１５  上張り耐火ボード
１６  開放部となる隙間
１６’  開放部となる隙間  
１７Ａ  パネル体（端部パネル）用の型枠（その１）
１８Ａ  パネル体（端部パネル）用の型枠（その２）
１７Ｂ  パネル体（基本パネル）用の型枠（その１）
１８Ｂ  パネル体（基本パネル）用の型枠（その２）
１９  スタッド位置決め用凹溝
２０  端部位置決め部（その１）
２１  凹部
２１Ａ  段差部
２１Ｂ  段差部
２２  端部位置決め部（その２）
２３  下張り耐火ボード用の端部位置決め部（その１）
２４  上張り耐火ボード用の端部位置決め部（その１）
２５  凹部
２５Ａ  段差部
２５Ｂ  段差部
２６  下張り耐火ボード用の端部位置決め部（その２）
２７  上張り耐火ボード用の端部位置決め部（その３）
【図１】
2006241940.tif 000003
【図２】
2006241940.tif 000004
【図３】
2006241940.tif 000005
【図４】
2006241940.tif 000006
【図５】
2006241940.tif 000007
【図６】
2006241940.tif 000008
【図７】
2006241940.tif 000009
【図８】
2006241940.tif 000010
【図９】
2006241940.tif 000011